(57)【要約】【課題】高い塵埃分離性能を有し、吸引力を持続する集塵装置を提供する。【解決手段】掃除機本体と、該掃除機本体に備えられる電動送風機と、前記掃除機本体から着脱自在に備えられる集塵装置と、を有し、該集塵装置は、前記掃除機本体に吸引された空気から塵埃を分離する第一、第二の塵埃分離部と、塵埃を収容する塵埃収容部と、フィルタと、を備え、前記第一の塵埃分離部の後流は、前記第一の塵埃分離部からフィルタへと至る主流と、前記第一の塵埃分離部から前記塵埃収容部、前記第二の塵埃分離部を順次介して前記フィルタへと至る副流と、に分かれる。【選択図】図２
2015123272.tif 000002
【特許請求の範囲】
【請求項１】
掃除機本体と、該掃除機本体に備えられる電動送風機と、前記掃除機本体から着脱自在に備えられる集塵装置と、を有し、
該集塵装置は、前記掃除機本体に吸引された空気から塵埃を分離する第一、第二の塵埃分離部と、塵埃を収容する塵埃収容部と、フィルタと、を備え、
前記第一の塵埃分離部の後流は、前記第一の塵埃分離部からフィルタへと至る主流と、前記第一の塵埃分離部から前記塵埃収容部、前記第二の塵埃分離部を順次介して前記フィルタへと至る副流と、に分かれることを特徴とする電気掃除機。
【請求項２】
請求項１に記載の電気掃除機において、
前記第一の塵埃分離部は、上部が開口した略円筒形状の外筒と、該外筒の内部に設けられる内筒と、前記外筒の上部を覆う外筒蓋と、を備え、
前記外筒蓋は、前記内筒と連通し主流が通る流路と、前記外筒と連通し副流が通る流路と、を備え、
前記外筒蓋の後流に、前記主流と前記副流とを分割する壁面を備えたことを特徴とする電気掃除機。
【請求項３】
請求項２に記載の電気掃除機において、
前記集塵装置は、前記第一の塵埃分離部を備える塵埃分離部材と、前記第二の塵埃分離部と前記塵埃収容部と第二の塵埃収容部と前記フィルタ部と開閉蓋とを備える塵埃収容部材と、を備え、
前記第二の塵埃分離部の後流を、前記フィルタと、第二の塵埃収容部と、に分岐し、
前記第一の塵埃収容部に溜まった塵埃と、前記第二の塵埃収容部とに溜まった塵埃とは、前記開閉蓋を開放することにより同時に廃棄されることを特徴とする電気掃除機。
【発明の詳細な説明】
【技術分野】
【０００１】
本発明は電気掃除機に係り、特に掃除機本体から着脱可能な集塵装置を備えた電気掃除機に関するものである。
【背景技術】
【０００２】
サイクロン方式の集塵装置において、ごみ捨て時の手間を軽減する発明が特開２０１０−２４６８８２号公報（特許文献１）において開示されている。具体的には、集塵装置が塵埃分離部（サイクロン分離部）と集塵室に分割可能に構成され、集塵室内に塵埃を捕集、堆積する捕塵容器を備えると共に、この捕塵容器を前方に飛び出させて拡開する機構を設け、ごみ捨て時に捕塵容器に勢いをつけて飛び出させ、更に開口部を拡開することによって、塵埃を容易に排出するようにしたサイクロン方式の集塵装置が記載されている。特許文献１において、塵埃分離部は、略円筒状の外筒と、略円筒状の内筒と、を備えており、これにより特許文献１には、遠心分離によって空気と塵埃を分離するサイクロン方式の集塵装置であることが記載されている。
【０００３】
また、特開２０１２−９６１００号公報（特許文献２）において、塵埃の捕集率を高めるサイクロン方式の集塵装置が開示されている。具体的には、空気中の塵埃を遠心分離する第一のサイクロン部と並んで併設され、第一のサイクロン部から排気される空気中の塵埃をさらに遠心分離する第二のサイクロン部を備えるサイクロン集塵装置が記載されている。
【先行技術文献】
【特許文献】
【０００４】
【特許文献１】特開２０１０−２４６８８２号公報
【特許文献２】特開２００６−１８０９３７号公報
【発明の概要】
【発明が解決しようとする課題】
【０００５】
ところで、最近では掃除機本体の小型化、或いは軽量化（以下では、纏めて小型化と称する）が求められているが、サイクロン方式の掃除機の小型化を図るときには集塵装置の小型化が必須条件となる。サイクロン方式の集塵装置の小型化には、塵埃分離部の直径を小さくする必要があるが、直径を小さくすると旋回速度が小さくなり遠心力が低下するため、塵埃の分離性能が低下する傾向にある。また、現在のサイクロン方式の掃除機は、集塵装置または掃除機本体に、分離しきれなかった微小な塵埃を捕集する捕塵フィルタを備えている製品がほとんどである。
【０００６】
特許文献１のようなサイクロン方式の集塵装置は、塵埃を捕集、堆積する捕塵容器にメッシュ部を設けているため、メッシュの目開きよりも細かな塵埃は通過してしまう恐れがある。通過した塵埃は、集塵装置の後流に設けている捕塵フィルタに堆積し、堆積量が多くなると吸引力の低下を招く恐れがある。よって、ごみ捨て時には、捕塵フィルタの掃除も必要となる。
【０００７】
一方、特許文献２のようなサイクロン方式の集塵装置は、塵埃を二段階で分離することで、より微小な塵埃を捕集することを目的としている。しかし、特許文献２では、サイクロン部の内筒内部のみが空気の流路であるため、内筒に塵埃が付着すると空気の流れを阻害するため吸引力が低下してしまう恐れがある。特に、第一のサイクロン部は、比較的大きく軽い塵埃（綿ごみなど）が入るため、内筒に塵埃が付着する恐れがある。
【０００８】
本発明の目的は、塵埃の分離性能を向上し、吸引力の低下を抑制した集塵装置を備えた電気掃除機を提供することにある。
【課題を解決するための手段】
【０００９】
上記課題を解決するために、例えば特許請求の範囲に記載の構成を採用する。
【００１０】
本願は上記課題を解決する手段を複数含んでいるが、その一例を挙げるならば、掃除機本体と、該掃除機本体に備えられる電動送風機と、前記掃除機本体から着脱自在に備えられる集塵装置と、を有し、該集塵装置は、前記掃除機本体に吸引された空気から塵埃を分離する第一、第二の塵埃分離部と、塵埃を収容する塵埃収容部と、フィルタと、を備え、前記第一の塵埃分離部の後流は、前記第一の塵埃分離部からフィルタへと至る主流と、前記第一の塵埃分離部から前記塵埃収容部、前記第二の塵埃分離部を順次介して前記フィルタへと至る副流と、に分かれることを特徴とする。
【発明の効果】
【００１１】
本発明によれば、塵埃の分離性能を向上し、吸引力の低下を抑制した電気掃除機を提供することができる。
【図面の簡単な説明】
【００１２】
【図１】第一の実施形態を示す電気掃除機の外観図である。
【図２】第一の実施形態を示す掃除機本体を側面から見た断面図である。
【図３】第一の実施形態を示すブロック図である。
【図４】第一の実施形態を示す集塵装置の外観図である。
【図５】第一の実施形態を示す塵埃収容部の外観図である。
【図６】第一の実施形態を示す塵埃収容部の開閉蓋を開いた状態の外観図である。
【図７】第一の実施形態を示す塵埃収容部の捕塵フィルタを開いた状態の外観図である。
【図８】図６に示す塵埃収容部を側面からみた断面図である。
【図９】図８に示す塵埃収容部のＡ−Ａ断面図である。
【図１０】図９に示す塵埃収容部のＢ−Ｂ断面図である。
【図１１】第二の実施形態を示す塵埃収容部を側面から見た断面図である。
【図１２】図１１に示す塵埃収容部のＣ−Ｃ断面図である。
【図１３】第三の実施形態を示す塵埃収容部の開閉蓋を開いた状態の外観図である。
【発明を実施するための形態】
【００１３】
以下、発明を実施するための形態について、図面を参照しながら説明する。なお、上下方向、前後方向については図１に示す方向とする。
【実施例１】
【００１４】
図１は、電気掃除機の外観斜視図を示している。図１において、１は掃除機本体であり、この掃除機本体１にサイクロン方式の集塵装置１０が着脱自在に備えられており、掃除機本体１は吸引ホース２を介して手元ハンドル３と接続され、手元ハンドル３は延長管６を介して吸口体７と接続されている。掃除機本体１には掃除機本体１を自在に移動できる車輪１１が備えられている。後述するが、集塵装置１０は、第一の塵埃分離部２１と、塵埃収容部２２と、からなる。
【００１５】
また、手元ハンドル３には、掃除機本体１に内蔵して備えられている電動送風機１４（図２参照）の制御や、吸口体７に設けられている電動回転ブラシ（図示せず）の駆動制御を行う操作部４を備えている。操作部４には、運転を開始する（強・中・弱）ボタンや運転を停止する（切）ボタンを配置した操作ボタン５が備えられている。
【００１６】
図２は、掃除機本体１の略中央の断面図を示している。掃除機本体１はプラスチック等の材料で形成された筺体１１における前部にホース取り付け口１１ａを形成し、その内部に吸引力を発生するケース１６に収納された電動送風機１４を配置すると共に、排気を清浄化するプリーツ状の高捕塵フィルタ２９を配置してある。高捕塵フィルタ２９と電動送風機１４とはダクト２８で流体的に接続されている。
【００１７】
掃除機本体１の前側上部には集塵装置１０が前下がりに傾斜した状態で着脱自在に載置されており、集塵装置１０は一方がホース取り付け口１１ａに流体的に接続され、他方が電動送風機１４に流体的に接続されている。
【００１８】
ここで、サイクロン方式の集塵装置１０は概ね第一の塵埃分離部２１と塵埃収容部２２より構成され、第一の塵埃分離部２１がホース取り付け口１１ａに流体的に接続され、塵埃収容部２２が電動送風機１４に流体的に接続されるように構成されている。なお、本実施形態では、第一の塵埃分離部２１と塵埃収容部２２は分離できる構成として説明してあるが、一体化して構成されていても良い。
【００１９】
以下の説明では、第一の塵埃分離部２１と塵埃収容部２２が分離できる実施形態について説明するが、一体的に構成されたものであっても、第一の塵埃分離部２１と塵埃収容部２２の夫々が一体化されるだけなので実質的に同様の構成となる。
【００２０】
吸口体７から吸引された塵埃を含む空気は、図２に示す矢印のようにホース取り付け口１１ａを介して集塵装置１０を流れ、集塵装置１０に設けた捕塵フィルタ１３を経て、ダクト２８を介し、電動送風機１４、高捕塵フィルタ２９を経由して筺体１１の外部に（掃除機本体１の外部に）排出されるようになっている。高捕塵フィルタ２９は、捕塵フィルタ１３で捕集できなかった微小な塵埃や電動送風機１４のカーボンブラシ（図示せず）の摩耗屑を取り除き、ほぼ塵埃を含まないきれいな空気にして掃除機本体１の外部へ排気する。なお、図２では図示していないが掃除機本体１の外郭を形成する筺体１１の内側には電力を供給するためのコードリール８を設けてある。
【００２１】
図３は第一の実施形態を示すブロック図である。
【００２２】
吸口体７から吸い込んだ塵埃を含んだ空気は、第一の塵埃分離部２１に入り、塵埃と空気とに分離される。第一の分離部２１の後流は、主流と副流とに分かれる。主流は、流れ１０１である。副流は、流れ１０２である。第一の塵埃分離部２１により塵埃と分離された空気は、流れ１０１に従い、補塵フィルタ１３に至る。対して、第一の塵埃分離部２１により分離された塵埃は、流れ１０２に従い、補塵容器（第一の塵埃収容部）１２に補塵される。補塵容器（第一の塵埃収容部）１２で補塵されなかった小さな塵埃は、引き続き流れ１０２に従い、第二の塵埃分離部９０へと至る。第二の塵埃分離部９０では、第一の塵埃分離部１２と同様に塵埃と空気とに分離される。第二の塵埃分離部９０により塵埃と分離された空気は、流れ１０２ｂに従い、補塵フィルタ１３に至る。対して、第二の塵埃分離部９０により分離された塵埃は、微小塵埃収容部（第二の塵埃収容部）９６に至り、微小塵埃収容部（第二の塵埃収容部）９６で補塵しきれなかった塵埃は再度第二の塵埃分離部９０へと至る。
【００２３】
次に、第一の実施形態における第一の塵埃分離部２１について図２、および図４を用いて説明する。図４は集塵装置１０を掃除機本体１から取り外した状態での外観斜視図を示す。
【００２４】
第一の塵埃分離部２１は外筒３０、内筒３１、外筒蓋３２で構成されている。外筒３０は、上面が開口し、他端面である底面３０ａは一部開口した容器であり、底面３０ａの流入口３０ｂには導入管３０ｃを備えている。外筒３０の上面には、外筒蓋３２が着脱可能なヒンジ３２ａで接続しており第一の塵埃分離部２１に汚れが付着した際、外筒３０から外筒蓋３２を簡単に取り外すことができ、水洗いが可能である。外筒蓋３２には、貫通した二つの流路を備えており、上面（図面上側）に主流第一流路出口５０、および副流第一流路出口６０を備えている。また、構造の詳細は省略するが、外筒蓋３２の上面の主流第一流路出口５０、副流第一流路出口６０、および外筒蓋３２外周の下面にはパッキングを備えており、上面のパッキングは第一の塵埃分離部２１と塵埃収容部２２との接続部の気密を保ち、下面のパッキングは外筒３０と外筒蓋３２の気密を保っている。
【００２５】
外筒３０および外筒蓋３２からなる空間には、内筒３１が内包されている。内筒３１は、底面側は閉塞され、他端面は開口し、内筒３１の内側には空間３１ａを有している。内筒３１の開口側は外筒蓋３２に接続され、内筒３１と外筒蓋３２との間は隙間がないようにゴム部材などで気密を保っている。これは、隙間に塵埃が挟まることを防止するためである。内筒３１の開口側には流出口３１ｂを備え、流出口３１ｂは外筒蓋３２に備える主流第一流路出口５０と連通している。
【００２６】
内筒３１底面側の閉塞部３１ｃは、略円筒状の内筒３１の空間３１ａに向かって窪ませた部分（窪み部３３）があり、窪み部３３に開口部３３ａを設けることで閉塞部３１ｃは略三日月形状をしている。この窪み部３３により、空気流に旋回成分を与え、開口部３３ａから内筒３１の外周と外筒３０内壁面からなる空間に流出する。
【００２７】
内筒３１の円筒面（側面）には、貫通孔３４を設けている。貫通孔３４は、内筒３１の内側に生成された空間３１ａと連通し、空間３１ａから流出口３１ｂ、外筒蓋３２に備える主流第一流路出口５０へと連通している。この貫通孔３４から、主流第一流路出口５０までの流路を主流第一流路１１０と呼ぶ。貫通孔３４は複数の孔で構成されており、貫通孔３４の合計開口面積は主流第一流路出口５０の面積と略同等、若しくはそれ以上としている。また、貫通孔３４によって、内筒３１はフィルタ機能を有し、貫通孔３４より大きな塵埃が内筒３１の内側の空間３１ａへ流入することがないようにしている。第一の実施形態における内筒３１は、円筒部分も含め樹脂で構成されているが、菌の繁殖を抑制できるように、抗菌作用のある金属（例えば、銀、銅）や抗菌物質を含有するあるいは塗布された金属（例えば、ステンレス）で構成しても良い。前述したように、閉塞部３１ｃを略三日月形状にしているのは、貫通孔３４後流部分の内筒３４の空間３１ａを大きく保つためであり、貫通孔３４の通気抵抗を小さくするためである。また、閉塞部３１ｃは外筒３０の底面３０ａと接しているが、底面３０ａの流入口３０ｂを塞ぐことのない形状である。内筒３１の底面には閉塞部３１ｃを有しているが、閉塞せずに内筒３１の空間３１ａと連通させても構わない。言い換えると、内筒３１の両端面が開口していても良い。閉塞部３１ｃを有している場合は、外筒３０の底面３０ａと面で接し、更に外筒３０の底面３０ａを窪ませて嵌合するようにしている。内筒３１の底面を開口させる場合は、外筒３０の底面３０ａとの隙間から直接塵埃が流入しないように、シール部材などを設ければ良い。このように、内筒３１の両端面を開口することで、第一の塵埃分離部２１が汚れた際に掃除がしやすく、また水洗いしても水が抜けやすく乾きやすいため、手入れ性が向上する。
【００２８】
また、内筒３１には、内筒３１と一体構造になっている塵埃収容部入口３５を備えており、外筒蓋３２に設けている副流第一流路出口６０と連通している。この塵埃収容部入口３５から、副流第一流路出口６０までの流路を副流第一流路１３０と呼ぶ。
【００２９】
このような構造の第一の塵埃分離部２１を備えることで、空気は次のような流れとなる。図２を用いて、掃除機運転時の空気の流れを説明する。
【００３０】
操作部４に設けられた操作ボタン５により使用者が運転を開始すると、電動送風機１４が回転し空気を吸い込む。吸い込んだ空気は、第一の塵埃分離部２１の導入管３０ｂを経て外筒３０の底面３０ａに設けた流入口３０ｂから外筒３０内部に流入し、内筒３１に設けた窪み部３３により旋回成分を与えられる。これにより、内筒３１と外筒３０との間の空間を旋回する空気流となる。空気流は、流れ１００に示す旋回流から、流れ１０１に示す主流と、流れ１０２に示す副流に分かれる。第一の塵埃分離部２１は、吸口体７から吸込んだ塵埃を含む空気を最初に遠心分離する分離部であり、流れ１０１は主に空気を、流れ１０２は塵埃を多く含んだ空気を搬送する。
【００３１】
主流である流れ１０１は、貫通孔３４から主流第一流路出口５０間の主流第一流路１１０を経て、後述する塵埃収容部２２内に備える主流第二流路１２０を通過する流れである。また、副流である流れ１０２は、塵埃収容部入口３５から副流第一流路出口６０までの副流第一流路１３０を経て、後述する塵埃収容部２２内の捕塵容器（第一の塵埃収容部）１２へ至り、捕塵容器（第一の塵埃収容部）１２に設けたメッシュ部材１５を通過し、後述する第二の塵埃分離部入口９１までの副流第二流路１４０を経て、第二の塵埃分離部９０を通過する流れである。副流が通過する第二の塵埃分離部９０は、捕塵容器（第一の塵埃収容部）１２に設けたメッシュ部材１５を通過した微小な塵埃を遠心分離し、捕集する機能を有している。
【００３２】
そして、主流および副流は、塵埃収容部２２内の捕塵フィルタ１３上流の空間で合流する流れ１０３となり、電動送風機１４へ至る。
【００３３】
次に、塵埃収容部２２について図５乃至図７を用いて説明する。図５は塵埃収容部２２の外観斜視図を示し、図６は塵埃排出用の開閉蓋２４を開放した状態での外観斜視図を示し、図７は捕塵フィルタ１３を開放した状態での外観斜視図を示している。
【００３４】
塵埃収容部２２は、側面に二つの開口部を有しており、開口部の一方は開閉蓋２４により開口部を閉塞し、他方は捕塵フィルタ１３により閉塞する。また、側面に有した二つの開口部以外の側面１０ｃ（図中左右方向の面）には、後述する第二の塵埃分離部９０を備えている。上面部１０ａ（掃除機本体１に載置した場合で上側になる面）には、掃除機本体１から塵埃収容部２２を取り外す場合や、塵埃収容部２２を持ち運ぶ場合に使用するハンドル２５や、開閉蓋２４を閉状態に係止する係止クランプを解除するクランプ解除ボタン２６が設けられている。また、塵埃収容部２２の下面部１０ｂ（掃除機本体１に載置した場合で下側になる面）には、前述したように、外筒蓋３２の主流第一流路出口５０と接続する主流第二流路入口５１、および外筒蓋３２の副流第一流路出口６０と接続する副流第二流路入口６１を備えている。図６に示すように、第一の実施形態において、下面部１０ｂは開閉蓋２４と一体構造になっており、略Ｌ字形状である。下面部１０ｂにはヒンジ２２ａを備えており、開閉蓋２４および下面部１０ｂはヒンジ２２ａによって回転自在に支持されており、このヒンジ２２ａを支点にして開閉蓋２４および下面部１０ｂが開閉されるものである。このように、開閉蓋２４および下面部１０ｂを回転自在に支持することによって、塵埃収容部２２から塵埃を排出する場合に塵埃収容部２２を傾ければ開閉蓋２４が重力方向に垂下するので塵埃を容易に排出することができるものとなる。また、開閉蓋２４の一部（或いは全部）には透明なプラスチック材料で作られた覗き窓部４１が設けられており、塵埃の堆積量が把握できるようになっている。
【００３５】
図５に示す副流第二流路入口６１は、開閉蓋２４と連通しており第一の塵埃分離部２１と後述する捕塵容器（第一の塵埃収容部）１２を繋ぐ連通路６２を備えており、第一の塵埃分離部２１の副流第二流路出口６０と気密を保持した状態で連通している。また、連通路６２の進行方向は捕塵容器（第一の塵埃収容部）１２の容器開口部１２ａに対して略平行になっている。言い換えれば容器開口部１２ａの開口方向と連通路６２の進行方向は略直交する関係となっている。開閉蓋２４の内周側は円弧状面６３を有しているので、連通路６２から流出してきた空気の流れは円弧状面６３に沿って捕塵容器（第一の塵埃収容部）１２の容器開口部１２ａ側に方向転換して流すようにしている。この円弧状面６３は空気の流れを整流するために設けており、この他に断面が台形や三角形となる形状にしても良いものである（図８参照）。つまり、連通路６２から捕塵容器（第一の塵埃収容部）１２の容器開口部１２ａに至る間に断面が拡大していく方向に変化していけば良いものである。このようにすれば、連通路６２から捕塵容器（第一の塵埃収容部）１２の容器開口部１２ａに至るまで円滑に空気の流れが変化するものである。また、開閉蓋２４の形状は集塵装置１０の円筒形状に沿った円弧状に形成されているが、塵埃収容部２２を直方体状に形成して平板状の開閉蓋２４とすることもできるもので、第一の実施形態の基本的な概念はこの構成を含むものである。
【００３６】
ただ、開閉蓋２４の形状を円弧状に構成することによって電動送風機１４によって発生した開閉蓋２４の内側の負圧と開閉蓋２４の外側の大気圧との間に生じる力に対して変形しにくく、強くなっている。本構成の開閉蓋２４によれば円弧形状になっているので剛性を高めることがき、開閉蓋２４の厚みを薄くできる。
【００３７】
また、塵埃収容部２２の側面部に形成した開口部の面積であるが、これは塵埃の集塵容量によって決められるものであり、塵埃収容部２２の長さを一定とした場合では、集塵容量を大きくすると開口部の周方向の幅が小さくなって塵埃の排出が円滑にいかない場合があることから最適な開口部の面積が決められるものである。
【００３８】
塵埃収容部２２の内部には捕塵容器（第一の塵埃収容部）１２が収納されており、捕塵容器（第一の塵埃収容部）１２は開閉蓋２４に臨むように容器開口部１２ａを備えている。この捕塵容器（第一の塵埃収容部）１２の容器開口部１２ａは、ばね等の弾性体によって塵埃収容部２２の外側へ飛び出すように付勢されている。
【００３９】
また、捕塵容器（第一の塵埃収容部）１２は二分割されて第一容器片１２ｂと第二容器片１２ｃとに分けられている。容器開口部１２ａとは反対側には各容器片１２ｂ、１２ｃの底面部が存在し、この各底面部に設けた軸（図示せず）によって各容器片１２ｂ、１２ｃが開閉される。
【００４０】
そして、使用者がクランプ解除ボタン２６を押下すると、開閉蓋２４の内周側に設けたクランプ爪（図示せず）が解除され、捕塵容器（第一の塵埃収容部）１２の押す力によって開閉蓋２４が開かれる。このときの捕塵容器（第一の塵埃収容部）１２の飛び出す勢いにより捕集した塵埃を排出することができる。捕塵容器（第一の塵埃収容部）１２の形状は本実施形態の形状に限定されるものではなく、少なくとも一つの容器開口部１２ａを有した立体的な形状であれば良い。つまり、捕塵容器（第一の塵埃収容部）１２は容器開口部１２ａと反対側に凹んだ形状を有する容器状であれば良い。また、捕塵容器（第一の塵埃収容部）１２の容器開口部１２ａの開口面に直交する断面形状は、略四角形状であっても良いし、略円形状であっても良いし、略三角形状であっても良い。捕塵容器（第一の塵埃収容部）１２の断面形状は、容器開口部１２ａから底面へ向かって、小さくなるのが好ましい。これによって、塵埃が排出される側に向かって断面積が拡がるため、使用者は捕塵容器（第一の塵埃収容部）１２内に堆積した塵埃を容易に排出することができる。捕塵容器（第一の塵埃収容部）１２の全体形状は、塵埃を含んだ空気が捕塵容器（第一の塵埃収容部）１２を通り抜ける必要から枠体（支骨）によって形成されている。捕塵容器（第一の塵埃収容部）１２の容器開口部１２ａの対向面である底面部および左右側面部は枠体（支骨）の間に金属やナイロンやポリエステルなどで構成されたメッシュ部材１５が架け渡されており、これらは被覆またはインサート成形などにより枠体（支骨）に保持されている。各枠体（支骨）に架け渡したメッシュ部材１５は、通気性があり、塵埃を捕集するフィルタ機能を有する。
【００４１】
捕塵容器（第一の塵埃収容部）１２の容器開口部１２ａの対向する面を底面とするとこの底面部だけでなく、左右側面部にも通気性を持たせることによって、捕塵容器（第一の塵埃収容部）１２の底面に塵埃が堆積しても流路を確保することができ、捕塵容器（第一の塵埃収容部）１２を通過する空気流の圧力損失を低減し、吸込風量の低下を抑制することができる。
【００４２】
また、各枠体（支骨）に架け渡したメッシュ部材１５の代わりに使い捨てのちり紙でも良いし、メッシュ部材１５とちり紙を組み合わせても良い。例えば、メッシュ部材１５の上にちり紙を装着しても良いものである。
【００４３】
上述したように、捕塵容器（第一の塵埃収容部）１２は集塵装置１０を掃除機本体１に載置した状態で上下に二分割されている。つまり上半分の第一容器片１２ｂと下半分の第二容器片１２ｃよりなり、夫々は枠体（支骨）から構成されている。
【００４４】
二分割された捕塵容器１２は、捕塵容器１２の底面部の外側に形成された分割軸（図示せず）によって連結される。よって、捕塵容器１２は容器開口部１２ａの対向面である底面部の分割軸を支点として、捕塵容器１２の容器開口部１２ａが割れるようになっている。尚、捕塵容器１２は本実施形態で示す方向に割れるものの他に、横方向に割れるように構成しても基本的には第一の実施形態の概念に含まれるものである。
【００４５】
ただ、捕塵容器１２が飛び出した際に第一容器片１２ｂと第二容器片１２ｃが上下に割れる構成となっている。これによって、第二容器片１２ｃがより重力方向に向けて傾斜するので使用者は捕塵容器１２内に堆積した塵埃をさらに容易に排出することができ、捕塵容器１２の内面に付着した塵埃も容易に剥がし落とすことができる。
【００４６】
開閉蓋２４と反対側の側面には、捕塵フィルタ１３を備えている。この捕塵フィルタ１３は、下端部に設けたヒンジ１３ａよって開閉可能に支持されている。捕塵フィルタ１３は通気面積を拡大するために断面形状が略四角形の枠体内にプリーツ状（山折り）に折られており、山折りの折り線方向は、縦方向（重力作用方向）であるのが好ましい。これは、捕塵フィルタ１３の後流側に、捕塵フィルタ１３に衝撃を与える除塵機構を備えた場合、折り方向が縦方向の方が捕塵フィルタ１３に付着した細塵を下方に落下させて除去し易いからである。なお、山折りの折り線方向が斜めに配置されていても構わない。
捕塵フィルタ１３は、図２に示す第一の塵埃分離部２１の遠心分離作用によって分離できず、第一の塵埃分離部２１の内筒３１に備えた貫通孔３４を通過した微小な塵埃を捕集する。そして、捕塵フィルタ１３を通過した空気は、電動送風機１４内に吸引される。
【００４７】
従って、捕塵フィルタ１３に微小の塵埃が多く堆積すると、捕塵フィルタ１３の圧力損失が大きくなり吸引力が低下する。特許文献１においては、塵埃収容部内が一つの空間で構成されており、先述した捕塵容器（第一の塵埃収容部）１２のメッシュ部材１５を通過した塵埃は捕塵フィルタ１３で捕集する構造となっている。そのため、吸引力が低下しやすく、捕塵フィルタ１３の手入れの頻度が多い傾向にある。
【００４８】
そこで、第一の実施形態の特徴とするところは、捕塵フィルタ１３への塵埃の堆積量を低減し、吸引力を持続し、また捕塵フィルタ１３の手入れを軽減するものである。
【００４９】
具体的には、図８乃至図１０に示す塵埃収容部２２で説明する。図８は図６に示す塵埃収容部２２の略中央の断面図を示し、図９は図８に示すＡ−Ａ面から見た断面図を示し、図１０は、図９に示すＢ−Ｂ面から見た断面図を示す。
【００５０】
先述したように、外筒蓋３２に備えた主流第一流路出口５０、および副流第一流路出口６０は、塵埃収容部２２の下面部１０ｂの備えた主流第二流路入口５１、および副流第二流路入口６１と連通する。主流第一流路出口５０と主流第二流路入口５１は略同形状で同面積であり、同様に副流第一流路出口６０と副流第二流路入口６１においても略同形状で同面積である。これは、第一の塵埃分離部２１からの空気流を縮流させないためであり、同面積にすることで流れをスムーズにし、圧力損失の増加を抑制している。
【００５１】
次に、主流第二流路１２０、および副流第二流路１４０について説明する。図８に示す断面図のように、主流第二流路１２０と副流第二流路１４０は、塵埃収容部２２内の空間を分割するように形成している。副流第二流路１４０は、先述した開閉蓋２４に備える連通路６２から塵埃収容部２２の左右に備えた後述する第二の塵埃分離部入口９１までの流路である。従って、副流第二流路１４０には、捕塵容器（第一の塵埃収容部）１２が内包されている。言い換えると、副流第二流路１４０は捕塵容器（第一の塵埃収容部）１２を覆う形状をしている。副流第二流路１４０側面の一部は、第二の塵埃分離部９０の外筒９２の外周面で形成され、底面は主流第二流路１２０と隔てるように流路仕切り板８０を備え、上面は上部仕切り板８２を備え、第二の塵埃分離部９０の上面を塞いでいる。上部仕切り板８２には、後述する第二の塵埃分離部９０の内筒９３の内部空間と連通する開口部９８を備え、本実施形態では、開口部９８を左右に有する。左右の開口部９８は、上部空間９５で合流し、上部空間９５は後方の捕塵フィルタ１３に対向するように開口した、第二の塵埃分離部出口９９を備えている。また、塵埃収容部２２の開閉蓋２４側に対向する面に壁面８１を有しており、壁面８１の左右に第二の塵埃分離部入口９１を備えている。図１０に示すように、塵埃収容部２２を上面から見ると、塵埃収容部２２の左右に備える第二の塵埃分離部９０は略平行であり、壁面８１は第二の塵埃分離部９０の外筒９２と接線方向に接続している。言い換えると、第二の塵埃分離部９０の外筒９２側面の最後方に接点を設け、左右の外筒９２の接点を繋いだ面が壁面８１である。そして、第二の塵埃分離部９０には、壁面８１を基準に前方を幅方向とする第二の塵埃分離部入口９１を備える。第二の塵埃分離部入口９１の形状に関しては後述する。このように、第二の塵埃分離部９０の外筒９２と接線方向に接続する壁面８１を基準に第二の塵埃分離部入口９１を設けることで、外筒９２の内壁面に接線する方向から空気を流入することができ、第二の塵埃分離部９０内の空気流に旋回成分を与えることが出来る。また、流路仕切り板８０は、主流第二流路１２０の容積を最も大きく保てるように、捕塵容器（第一の塵埃収容部）１２の形状に沿って傾斜している。
【００５２】
このような副流第二流路１４０の形状により、流れ１０２はすべて第二の塵埃分離部入口９１から第二の塵埃分離部９０内に導かれる。
【００５３】
主流第二流路１２０は、塵埃収容部２２の下面部１０ｂに備える主流第二流路入口５１から、主流第二流路出口５２までの空間である。主流第二流路１２０においても、側面の一部は、第二の塵埃分離部９０の外筒９２の外周面で形成され、上面は先述した流路仕切り板８０で副流第二流路１４０と隔てている。主流第二流路出口５２の開口面積は、主流第二流路入口５１の開口面積と略同等、若しくは大きく設けている。これにより、主流第二流路１２０の流れ１０１をスムーズにし、圧力損失の増加を抑制する。
【００５４】
本実施形態では、第二の塵埃分離部９０の外筒９２の略半分が塵埃収容部２２側に収まる形状であり、外観から第二の塵埃分離部９０が突出している。塵埃収容部２２の外観（幅）を小さくするためには、更に外筒９２を塵埃収容部２２側に収めれば良い。しかし、本実施形態の第二の塵埃分離部９０の位置では、捕塵容器（第一の塵埃収容部）１２の幅を小さくする必要があり、集塵容積が低下する。そこで、構造の詳細は省略するが、捕塵フィルタ１３を塵埃収容部２２に備えず、掃除機本体１内（例えば、ダクト２８の上流側または後流側）に備えても良い。このようにすることで、捕塵容器（第一の塵埃収容部）１２の容積を変えず、第二の塵埃分離部９０を後方に移動し、第二の塵埃分離部９０の突出を減らすことができる。また、塵埃収容部２２の前後方向を大きくできるならば、捕塵フィルタ１２を塵埃収容部２２に備えつつ、第二の塵埃分離部９０による左右の突出を減らすことができる。
【００５５】
次に、塵埃収容部２２に設けた第二の塵埃分離部９０について説明する。第二の塵埃分離部９０は、底面が開口した筒形状であり、外筒９２側面の上部に第二の塵埃分離部出口９９、および第二の塵埃分離部入口９１を備えている。第二の塵埃分離部出口９９、および第二の塵埃分離部入口９１は上部仕切り板８２で分割されている。外筒９２の内部は内筒９３を内包し、内筒９３は外周部に複数の貫通孔９４を備えている。内筒９３内部と貫通孔９４は連通しており上部仕切り板８２の底面と接続している。内筒９３内部は、先述した上部仕切り板８２の開口部９８と連通し、上部空間９５と第二の塵埃分離部出口９９と連通している。この、第二の塵埃分離部入口９１から第二の塵埃分離部出口９９までを副流第三流路１５０と呼ぶ。副流第三流路１５０は、主流第二流路１２０と捕塵フィルタ１３の上流側で合流し、捕塵フィルタ１３へ至る。第二の塵埃分離部９０の外筒９２の高さＨ１は、塵埃収容部２２の高さと略同等である。
【００５６】
本実施形態では、主流第二流路入口５１と副流第二流路入口６１との開口面積比が、およそ２：１と主流第二流路入口５１の開口面積の方を大きく設けている。これは、吸引力を持続させるためである。吸引力の低下は、捕塵容器（第一の塵埃収容部）１２に塵埃が堆積すると、副流に対し塵埃が抵抗となる場合と、捕塵フィルタ１３に塵埃が堆積し主流および副流の抵抗となる場合がある。主流第二流路入口５１の面積が副流第二流路入口６１の面積よりも小さい（副流の方が多い）場合、捕塵容器（第一の塵埃収容部）１２の塵埃が抵抗となる割合が大きく、吸引力が早く低下する傾向にある。よって、前述したように本実施形態では、主流第二流路入口５１面積を副流第二流路入口６１面積の約２倍にしているので、捕塵容器（第一の塵埃収容部）１２に堆積した塵埃による抵抗を低減することで吸込力を持続する。
【００５７】
また、捕塵容器（第一の塵埃収容部）１２のメッシュ部材１５を通過した塵埃は、第一の実施形態の特徴である第二の塵埃分離部９０を設けることで捕集することができ、捕塵フィルタ１３への塵埃堆積量を低減し、主流および副流の抵抗を低減することで吸引力を持続する。
【００５８】
このような効果を得るために、副流第二流路入口６１の開口面積と第二の塵埃分離部入口９１の面積（本実施形態において入口２つ分の面積）は略同等、若しくは第二の塵埃分離部入口９１の面積の方が大きくなるようにしている。これにより、第二の塵埃分離部９０が流れ１０２の抵抗にならず、主流と副流を流れる流量の割合比を維持できる。また、第二の塵埃分離部出口９９の開口面積は、第二の塵埃分離部入口９１の略同等、若しくは第二の塵埃分離部出口９９の面積の方が大きくなるようにしている。
【００５９】
ここで、本実施形態の具体的な第二の塵埃分離部９０の形状について述べる。
【００６０】
第二の塵埃分離部９０の外筒９２の高さＨ１は１００ｍｍ、外筒９２の内径はφ４１ｍｍで内筒９３の外径はφ２５ｍｍとしている。内筒９３外周面と外筒９２内壁面の間には空間が形成され、間隔Ｌ１は８ｍｍとなる。内筒９３に設けた貫通孔９４は、総面積を内筒９３の内径面積以上としており、貫通孔９４の総面積が流路の最小面積にならないようにしている。これは、第二の塵埃分離部９０への流量を確保するためである。また、後述するが第二の塵埃分離部入口９１の面積についてもこの考えであり、内筒９３の内径面積と第二の塵埃分離部入口９１の面積は略同面積である。第二の塵埃分離部入口９１は、外筒９２側面の上部（上側）に設けており、高さＨ２は３５ｍｍ、幅を１０ｍｍとし、入口面積は３５０ｍｍ2である。これは、内筒９３の内径面積と略同等である。このように、副流第三流路１５０において、第二の塵埃分離部入口９１の面積を基準に、貫通孔９４、内筒９２の内径面積のいずれも最小面積にならないようにしている。これは、先述したように流量を低下させないためである。また、流量の低下は、捕塵容器（第一の塵埃収容部）１２に収まった塵埃を圧縮する力の低下に繋がり、塵埃を収容できる容量が減少する可能性がある。
【００６１】
先述したように、内筒９３外周面と外筒９２内壁面の間隔Ｌ１が８ｍｍであるのに対し、第二の塵埃分離部入口９１の幅は１０ｍｍである。よって、図１０に示すように第二の塵埃分離部入口９１を内筒９３側へ投影すると、第二の塵埃分離部入口９１の幅方向を１０ｍｍとしたため、内筒９３とのラップ量Ｌ２が２ｍｍとなる。これにより、流入した空気が内筒９３と接触するため、本実施形態では、内筒９３とラップする部分の貫通孔９４を塞いでいる。これは、流入した空気が直接貫通孔９４を通過しないためである。また、先述した内筒９３外周面と外筒９２内壁面の間隔Ｌ１の８ｍｍに合わせ、第二の塵埃分離部入口９１の幅を８ｍｍにしても構わない。その際は、第二の塵埃分離部入口９１の高さＨ２を高くして所定の開口面積を確保すれば良い。本実施形態では、所定の開口面積を３５０ｍｍ2としているため、第二の塵埃分離部入口９１の幅８ｍｍの場合、高さＨ２は約４４ｍｍとなる。
【００６２】
また、内筒９３の側面に貫通孔９４を設けているが、底面が開口した形状でも構わない。その場合、内筒９３高さＨ３は第二の塵埃分離部入口９１の高さＨ２よりも大きくする必要がある。これは、第二の塵埃分離部９０に入った流れが直接内筒９３の底面に設けた開口に向かい、塵埃が吸引されてしまうのを防止するためである。また、旋回流の乱れも発生し塵埃の分離性能が低下する可能性もある。この旋回流の乱れは、本実施形態のように内筒９３の側面に貫通孔９４を設けた場合も同じ傾向にある。よって、本実施形態では内筒９３の高さＨ３は第二の塵埃分離部入口９１の高さＨ２よりも高くしている。先述したように、第二の塵埃分離部入口９１の幅を８ｍｍ、高さＨ２を約４４ｍｍとした場合、内筒９３の高さＨ３は４４ｍｍ以上にすれば良く、本実施形態では、内筒９４の高さＨ３を４５ｍｍとしている。また、内筒底面には傘部９７を設け、傘部９７の外径は内筒９３の外径よりも大きくしている。これにより、一つは内筒９３の高さＨ３を増やす効果、二つ目に第二の塵埃分離部９０の微小塵埃収容部（第二の塵埃収容部）９６に堆積した塵埃が内筒９３と外筒９２との空間へ戻り難くする効果がある。二つ目の効果は、傘部９７の外径を内筒９３の外径よりも大きくしたことで、傘部９７の外周と外筒９２内壁面の間隔が狭くなるため、塵埃が内筒９３外周の空間に戻り難くなる。傘部９７の高さＨ４は１０ｍｍとしているが、この限りではなく、第二の塵埃分離部９０に備える微小塵埃収容部（第二の塵埃収容部）９６の容積が確保できれば良い。
【００６３】
以上のような第一の実施形態において、第二の塵埃分離部９０の空気流の流れを図１０で説明する。副流第二流路入口５１を経た流れ１０２は、副流第二流路１４０に備えた捕塵容器（第一の塵埃収容部）１２を経て、第二の塵埃分離部入口９１から第二の塵埃分離部９０内に流入する。流れ１０２は、外筒９２の接線方向から流入され、第二の塵埃分離部９０内を旋回する旋回流（流れ１０２ａ）となる。捕塵容器（第一の塵埃収容部）１２のメッシュ部材１５を通過した微小な塵埃は流れ１０２ａにより、外筒９２の内壁面側に分離し、第二の塵埃分離部９０の下部に設けた微小塵埃収容部（第二の塵埃収容部）９６に堆積する。一方、塵埃を分離された空気は流れ１０２ｂのように内筒９３の側面に設けた貫通孔９４を通過し、内筒９３の内部を通り、開口部９８を経て上部空間９５へ至る。流れ１０２ｂは、主流第二流路１１０を経た流れ１０１と合流し流れ１０３となり、捕塵フィルタ１３へ至る。
【００６４】
本実施形態において、各部の大きさ（寸法）は、副流第二流路入口６１の開口面積を基準に設定しているが、第二の塵埃分離部９０の外筒９０直径を基準にしても構わない。例えば、塵埃収容部２２の外観（幅）を小さくしたい場合は、外筒９２の直径を小さくしても良い。このとき、先述したように、内筒９３と外筒９２との空間の間隔と、第二の塵埃分離部入口９１の幅を同じ程度にしたい場合は、第二の塵埃分離部入口９１の高さを大きくすることで第二の塵埃分離部入口９１の幅を小さくし、内筒９３の大きさを確保することも可能である。その場合、第二の塵埃分離部入口９１の高さに合わせ、内筒９３の高さも高くする必要があるため、第二の塵埃分離部９０の微小塵埃収容部（第二の塵埃収容部）９６の容積が小さくなる。
【００６５】
本実施形態では、第二の塵埃分離部９０の微小塵埃収容部（第二の塵埃収容部）９６の容積が小さい場合でも、ごみ捨ての度に微小塵埃収容部（第二の塵埃収容部）９６内に堆積した微小な塵埃を排出することで、容積の小ささを解決できるような構造としている。先述したように、開閉蓋２４は、塵埃収容部２２の下面部１０ｂと一体になっており、捕塵容器（第一の塵埃収容部）１２に溜まった塵埃を排出する際に、同時に第二の塵埃分離部９０の微小塵埃収容部（第二の塵埃収容部）９６の塵埃を排出する。図６に微小塵埃収容部（第二の塵埃収容部）９６の微小な塵埃を排出する構造の一例を示しており、使用者が、クランプ解除ボタン２６を押すと、ヒンジ部２２ａを軸に、微小塵埃収容部（第二の塵埃収容部）９６の底面も開口するため塵埃を同時に排出することができる。また、塵埃収容部２２の下面部１０ｂの上面には、パッキング２４ａを備えており、開閉蓋２４を閉じた状態で気密を保持している。また、第二の塵埃分離部９０の底面を開口することで、内筒９３を取り外す構造を設けた場合、内筒９３に汚れが付着した場合でも、内筒９３を取り外し、掃除を行うことも可能である。
以上のように、塵埃収容部２２の空間を分割し、主流第二流路１２０および副流第二流路１４０を設け、副流第二流路１４０の後流に第二の塵埃分離部９０を設けることで、塵埃収容部２２の後流側に設けた捕塵フィルタ１３への塵埃の堆積量を低減し、吸引力の低下を抑制することができる。
【実施例２】
【００６６】
次に第二の実施形態について図面を参照しながら詳細に説明するが、掃除機本体１および第一の塵埃分離部２１については、第一の実施形態と基本的に同様な構成であるので以下では塵埃収容部２２について説明する。図１１は、第二の実施形態における塵埃収容部２２の略中央の断面図を示した図である。図１２は、図１１に示すＣ−Ｃ面から見た断面図であり、図中には矢印で流れを示している。
【００６７】
本実施形態は、塵埃収容部２２内に第二の塵埃分離部９０を備えている。塵埃収容部２２の奥行（前後方向）の長さを長くしないために、第二の塵埃分離部９０の外筒９２の直径を小さくし、左右方向に第二の塵埃分離部９０を３つ設けており、塵埃収容部９０内に捕塵フィルタ１３を備えない構成である。第二の塵埃分離部９０の個数はこの限りではなく、塵埃収容部２２内に収まれば良い。また、第一の実施形態のように塵埃収容部２２内に収めず、左右方向に複数個設けても構わない。また、捕塵フィルタ１３については、構造等の詳細は省略するが、掃除機本体１内に備えるダクト２８の上流側、または後流側に設ければ良い。
【００６８】
また、本実施形態では、塵埃収容部２２内を分割して有した主流第二流路１２０および副流第二流路１４０は、塵埃収容部２２内で合流せず、完全に分離している。第二の塵埃分離部９０の外筒９２の直径、第二の塵埃分離部入口９１の面積、内筒９３の内径等の大きさ（寸法）については、第一の実施形態と同様の考え方で決めれば良く、本実施形態では説明を省略する。
【００６９】
以上のような、第二の実施形態における第二の塵埃分離部９０の空気流の流れを、図１１、および図１２で説明する。副流第二流路入口６１を経た流れ１０２は、連通路６２を通過し、副流第二流路１４０に備えた捕塵容器（第一の塵埃収容部）１２を経て、第二の塵埃分離部入口９１から第二の塵埃分離部９０内に流入する。流れ１０２は、外筒９２の接線方向から流入され、第二の塵埃分離部９０内を旋回する旋回流（流れ１０２ａ）となる。捕塵容器（第一の塵埃収容部）１２のメッシュ部材１５を通過した微小な塵埃は流れ１０２ａにより、外筒９２の内壁面側に分離し、第二の塵埃分離部９０の下部に設けた微小塵埃収容部（第二の塵埃収容部）９６に堆積する。一方、塵埃を分離された空気は流れ１０２ｂのように内筒９３の側面に設けた貫通孔９４を通過し、内筒９３の内部を通り、開口部９８を経て上部空間９５へ至る。そして、流れ１０２ｂは掃除機本体１へ至る。
【００７０】
以上のように、塵埃収容部２２の空間を分割し、主流第二流路１２０および副流第二流路１４０を設け、副流第二流路１４０の後流に第二の塵埃分離部９０を設けることで、掃除機本体１に設けた捕塵フィルタへ１３の塵埃の堆積量を低減し、吸引力の低下を抑制することができる。
【実施例３】
【００７１】
次に第三の実施形態について図面を参照しながら詳細に説明するが、掃除機本体１、および第一の塵埃分離部２１については第一の実施形態および第二の実施形態と基本的に同様な構成であるので以下では塵埃収容部２２について説明する。
【００７２】
図１３は本実施形態の塵埃収容部２２の外観図であり、開閉蓋２４を開いた状態である。本実施形態は、第一の実施形態および第二の実施形態と比較すると捕塵容器（第一の塵埃収容部）１２の開口部１２ａの向きに違いがある。捕塵容器（第一の塵埃収容部）１２の開口部１２ａは、開閉蓋２４側を向いており、主流第二流路入口５１および副流第二流路入口６１を有する面と対向している。また、塵埃収容部２２は、前後が開口し、前方に開閉蓋２４、後方に捕塵フィルタ１３をヒンジ１６０により支持し気密を保持している。そして、使用者が開閉蓋２４を開けると、捕塵容器（第一の塵埃収容部）１２は前方へ飛び出すようにバネ等で付勢されている。
【００７３】
本実施形態は、第一の実施形態および第二の実施形態と同様に、塵埃収容部２２に第二の塵埃分離部９０を備えており、塵埃収容部２２内を分割し主流第二流路１２０、および副流第二流路１４０を設ける構造や、第二の塵埃分離部９０の構造は基本的に同様な構成であるので説明は省略する。
【００７４】
本実施形態は、捕塵容器（第一の塵埃収容部）１２の開口部１２ａと第二の塵埃分離部９０の底面が同じ向きであり、第一の実施形態に示した開閉蓋２４のように略Ｌ字形状にする必要がなく、開閉蓋２４の同一面で、捕塵容器（第一の塵埃収容部）１２の開口部１２ａと第二の塵埃分離部９０の底面の気密を保持できる。このような構成により、塵埃容器１２内の塵埃排出方向と、第二の塵埃分離部９０内の細塵の排出方向が略同方向であるため、塵埃を排出しやすいといった利点がある。
【００７５】
以上のように、塵埃収容部２２の空間を分割し、主流第二流路１２０、および副流第二流路１４０を備え、副流第二流路１４０の後流に第二の塵埃分離部９０を備えることで、塵埃収容部２２の後流に設けた捕塵フィルタ１３への塵埃の堆積量を低減し、吸引力の低下を抑制することができる。
【符号の説明】
【００７６】
１  掃除機本体
２  吸引ホース
３  手元ハンドル
４  操作部
５  操作ボタン
６  延長管
７  吸口体
１０  集塵装置
１２  捕塵容器（第一の塵埃収容部）
１２ａ  容器開口部
１３  捕塵フィルタ
１４  電動送風機
１５  メッシュ部材
２１  第一の塵埃分離部
２２  塵埃収容部
２４  開閉蓋
３０、９２  外筒
３０ａ  底面
３０ｂ  流入口
３０ｃ  導入管
３１、９３  内筒
３１ａ  空間
３２  外筒蓋
３３  窪み部
３３ａ、９８  開口部
３４、９４  貫通孔
５０  主流第一流路出口
５１  主流第二流路入口
５２  主流第二流路出口
６０  副流第一流路出口
６１  副流第二流路入口
６２  連通管
８０  流路仕切り板
８１  壁面
８２  上部仕切り板
９０  第二の塵埃分離部
９１  第二の塵埃分離部入口
９５  上部空間
９６  微小塵埃収容部（第二の塵埃収容部）
９７  傘部
９９  第二の塵埃分離部出口
１００、１０１、１０２、１０２ａ、１０２ｂ、１０３  流れ
１１０  主流第一流路
１２０  主流第二流路
１３０  副流第一流路
１４０  副流第二流路
１５０  副流第三流路
【図１】
2015123272.tif 000003
【図２】
2015123272.tif 000004
【図３】
2015123272.tif 000005
【図４】
2015123272.tif 000006
【図５】
2015123272.tif 000007
【図６】
2015123272.tif 000008
【図７】
2015123272.tif 000009
【図８】
2015123272.tif 000010
【図９】
2015123272.tif 000011
【図１０】
2015123272.tif 000012
【図１１】
2015123272.tif 000013
【図１２】
2015123272.tif 000014
【図１３】
2015123272.tif 000015